(57)【要約】      （修正有）【課題】総入れ歯を安価に確実に当該あご部に装着せしめ、従来の総入れ歯は吐く息や口つぼめで簡単にあごから外れてしまう事実と、インプラント設置では保健使用できず、老人の負担と食事等の正常化を図る。【解決手段】凸ボタン９の球形類似凸部１０を、凹ボタン２１のドーム６４の表面凹部の中に嵌入させて行く時には、球形類似凸部１０がドーム６４内面６０の中に進入するにつれて、まず、平行な首押さえバネ６５の先端部２６の平行な幅が球形類似凸部１０の直径分だけ拡がせられるが、首部分２２が到達すると首押さえバネ６５が持つ弾性力で首の太さ分までの幅に戻り、その後は、凸ボタン９の球形類似凸部１０の太さまで首押さえバネ６５の先端部２６を開かせる外力を与えない限り、凸ボタン９と凹ボタン２１とが離れないように構成されてある。【選択図】図１
0003134175.tif 000002
【実用新案登録請求の範囲】
【請求項１】
少なくても１個の歯根部が確実に残存し、かつ、総入れ歯を装着しなくてはならない歯科患者に装着すべき総入れ歯の形態を、同歯科患者の残存歯根部表面部への適切な虫歯進行防止等処理後の合成樹脂の補填直前に、この補填部の周囲の歯肉の口腔上皮縁部が形成する端面とほぼ一致する部分の面位置に、１対のスナップの球形類似凸部を持つ方を凸ボタン、他方を凹ボタンと呼ぶとして、凸ボタンの球形類似凸部を除いた中心部の首部相当の小円抜きした円盤部の数カ所に細い錐先で小さな穴をあけ裏側にバリを出す代りに、当初からその様に作製した、バリ付き凸ボタンの裏側に、合成樹脂充填剤を塗布してから、同患者の残存歯根部の原形時の歯先の向き側に球形類似凸部を向け、この凸ボタンを固定させた後に、この凸ボタンと対の凹ボタンの裏面のドーム形の周囲に設置してある、この凸ボタンの球形類似凸部の首部分を挟むばねの作用効果が失われないように、この金属ばね露出部全体を覆え得る薄い滑らかな金属板を外れないように設置してから、作製途中の総入れ歯類側の、歯列状に白く並べられた義歯群が植えられている部分の中の、同前凸ボタンと嵌合させ得る様に凹ボタンが配置されている特定１義歯について、この凹ボタンが特定１義歯の根元部の口腔上皮縁部相当位置になるように、凹ボタンのドーム側を義歯列の並びの中に接着形成させる様にして、対の凸ボタンとの着脱を容易にした様な、少なくても１個の残存歯根部に固定設置の凸ボタンと、これに着脱容易で外れ難い様な対応する装置を設置した特定１義歯との組み合わせを持たせた総入れ歯。
【請求項２】
少なくても１個の歯根部が確実に残存し、かつ、総入れ歯を装着しなくてはならない歯科患者に装着すべき総入れ歯の形態を、同歯科患者の残存歯根部表面部への適切な虫歯進行防止等処理後の合成樹脂の補填直前に、この補填部の周囲の歯肉の口腔上皮縁部が形成する端面とほぼ一致する部分の面位置に、１対のスナップの球形類似凸部を持つ方を凸ボタンと呼び、凸ボタンの球形類似凸部を除いた中心部の首部相当の小円抜きした円盤部の数カ所に錐先で小さな穴をあけ裏側にバリを出す代りに、当初からその様に作製した、バリ付き凸ボタンの裏側に、合成樹脂充填剤を塗布してから、同患者の残存歯根部の原形時の歯先の向き側に球形類似凸部を向け、この凸ボタンを固定させた後に、別製の、特定義歯１個の断面幅より大きくない、同患者から見て縦長で、球形類似凸部の直径の２倍程度の横幅と、凸ボタンの高さ位の高さの金属製の外箱を、そのあご側底面部中央付近から手前側には、球形類似部の直径より少し大の底穴を明け、その反対側の患者の口の外側底面端部とこれに接する壁との間に、底の横幅と同一で適当な高さの素通しの隙間を設  け、この隙間と底面とを合せた形面積と同一でやや小さめで適当な厚さの結合かせ板が、その隙間から円滑に出入出来る様にさせ、この結合かせ板の中央部には、対応凸ボタンの首幅よりも少し幅広で隙間側と反対側に首幅の数倍の長さの首穴と、手前側には底穴と同一大の大穴が明けてあり、外箱の左右両側面底近くには内側に打ち抜き出しした案内枠を数個ずつ設置し、結合かせ板が底面と平行運動する様にしてあり、かつ、このかせ板の抜けだし防止のバネが隙間至近場所の壁に設置のバネ支持場所から丸めて設置してあり、更に、結合かせ板の先端部に設置の撮み溝や撮み部の隙間に、別作りのピンセットで結合かせ板が外箱から撮み出せるようにした、少なくても１個の残存歯根部に固定設置の凸ボタンと、これに着脱容易で外れ難い様な対応する装置を設置した特定１義歯との組み合わせを持たせた総入れ歯。
【考案の詳細な説明】
【技術分野】
【０００１】  本考案は、何らかの原因で上下のあごの全歯が消滅したが、それぞれの中の少なくても１個だけが健全な歯根を残存させている場合での、総入れ歯相当の義歯をあごに装着させたり固定する技術の、過去にはなかった総入れ歯の技術に関する。
【背景技術】
【０００２】  総入れ歯に関しては、過去から既に多数の技術が傾注されてきており、例えば、最近では、磁石の吸引力を利用した総入れ歯や、あご骨に穴を空けて義歯を植えつけ、これにばねを絡ませるインプラントなどかある。【０００３】  しかしながら、両者の場合には、現在では保険が適用できず、歯科患者が自費で８万円乃至３０万円も支払うことが強要される。【０００４】  また、前者の場合には、磁力が弱く、息を吐くときや、口をつぼめる時にも、総入れ歯が簡単に外れてしまう欠点が存在する。
【考案の開示】
【考案が解決しようとする課題】
【０００５】  上に述べた２技術よりも安価で、かつ、できうれば保険が適用出来る様になしえる、確実な総入れ歯の安定装着の実現思考が前提課題である。
【課題を解決するための手段】
【０００６】  上の課題、即ち、少なくても１個の残存歯根部に設置の加工物と総義歯類設置物との２者を結合させる相互力が強く、容易に分離できない状況の実現を解決する手段としては、第１に、衣料に用いられるスナップ（ボタン）を利用できないかと単純に思考できる。【０００７】  第２には、スナップの凸部側を用いるだけでも、この特殊な凹凸の形態から、擬似球形の凸部の球形頭の首の細い部分を押さえることで、義歯の外れ防止に適用できる可能性が考えられる。【０００８】  第３に、スナップの嵌入する凸部側を以下では凸ボタン９と略称するとして、その球形擬似凸部１０の、首の細い部分を押さえる方法としては、本来の裏面にドーム６４を持つスナップを以下では凹ボタンとして、この凹ボタン２１には、首押さえバネ６５が利用されてあるが、首を挟める三叉状の物を利用するする場合も考えられる。【０００９】  本考案では、これらの相互に対応する義歯として、それが総入れ歯の中の１個の義歯の中に構成できるように、微少で精密な技術工作による特殊技術をも要することから、世界的な大量生産化方式も視野に入れる事が要請される。【００１０】  以下に、本考案の実施手段としての形態を図１〜図５に基づいて説明する。【００１１】  本考案の実施時に使用する、市販の、直径が６ミリ以下の洋裁用の１組のスナップの対の２個組の内の凸ボタン９に多少のバリ６２を加えた状況での単独の平面図を図２に示し、これを、残存歯根部３の根元部２０に設置した概念的な立面図を図１（ａ）に示した。【００１２】  バリは当該凸ボタンが、合成樹脂との結合強化できるからの、補強操作の考案に属する。【００１３】  図２と図１（ａ）からは、凸ボタン９は、製作順は不明であるが、一応の説明をしておくと、円形の薄い金属板の周囲を一様に裏面側に丸め込んで折返して縁６１となし、それをやや小さい直径の円管で上下から挟み押さえ、更に、中心部を表側に首部分２２として形成し、別に作成の、半球冠と球帯とを接続して表面部を少しならして球面状とした形態であるが、首部分２２の中心部を円形の穴を明けてドーナツ平面図状部分を円盤部１１と称するとし、首部分２２より球冠までの全部を球形類似凸部１０と呼称する。【００１４】  請求項１にだけ関係する部品として、図３には、前記凸ボタン９と１対をなす凹ボタン２１の裏面側の平面図を示したが、図１（ｂ）には図１（ａ）の残存歯根部３に設置した凸ボタン９に、この凹ボタン２１を嵌合させた総入れ歯２の概念図を、図１（ａ）部分を他の部分と共に大体の仮想線で描き、区別できる様に、示した。【００１５】  前項００１４で用いた凹ボタン２１の形態は、大きさが、１本の細い弾性針金の両先端部２６を面対称的にＳ字型に屈曲させた首押さえバネ６５の太さ分の２本分位だけ凸ボタン９よりも１回り大きく作成されてあり、凸ボタン９の球形類似凸部１０の首部分２２を、針金の先端部２６の平行な２本で挟める幅に設定した凹ボタン２１の裏面のドーム６４内面６９の凹部にまで切り込みした、ドーム切り込み６７が平行に首部分２２の幅で平行に設置してあり、２本のバネ先端部２６が挟み込んである。【００１６】  図１（ｂ）の様に、凸ボタン９の球形類似凸部１０を、凹ボタン２１のド��ム６４の表面凹部の中に嵌入させて行く時には、球形類似凸部１０がドーム６４内面６０の中に進入するにつれて、まず、平行な首押さえバネ６５の先端部２６の平行な幅が球形類似凸部１０の直径分だけ拡がせられるが、首部分２２が到達すると首押さえバネ６５が持つ弾性力で首の太さ分までの幅に戻り、その後は、凸ボタン９の球形類似凸部１０の太さまで首押さえバネ６５の先端部２６を開かせる外力を与えない限り、凸ボタン９と凹ボタン２１とが離れないように構成されてある。【００１７】  前項００１６の機能を、本考案の実現に利用する目的で、図１（ａ）〜（ｃ）及び図２には、凸ボタン９のかがり糸通し穴１２を、通常では単純に穴を開けて切り落とすところを、穴の１部の縁が切断されないで接続残存するようにして、穴部分片が凸ボタン１２の裏面側にバリ６２として突出させるようにすることも視野に入れたり、歯科医師が、先端が鋭い錐の様な金具でかがり糸通し穴間等に任意の数だけ同様なバリを設定することもできる場合には、凹凸両ボタンと義歯との接続状況は、恣意性が伴う場合がある。【００１６】  従って、総入れ歯を作成する歯科医師は、まず、付帯方法は何であれ、このバリ６２付きの凸ボタン９を、総入れ歯作製依頼の歯科患者の、少なくても１個の残存歯根部への、切削清掃後の合成樹脂材料を埋める際に、当該歯根部に凸ボタン９の裏面側を丁寧に隙間なく埋め込み、総入れ歯の設置固定相手装置とする。【００１７】  次に、当該歯科患者の総入れ歯の形成の前に、以下では、請求項１と請求項２とで、手順が判れるので、後者は、項００２４から記載説明するとし、前者からの説明に入る。【００１８】  まず、請求項１の場合に付いてでは、通常の総入れ歯に凹ボタン２１だけを用いる。【００１９】  図３には、凹ボタン２１にバリが記載してないが、ドーム６４と合成樹脂１６との結合が強い場合には、バリ６２を臨時に作成させることがなく、裏面のドーム６４の凸部面上にやすり等で首押さえバネ６５と平行に傷を付ければ代用することができる。【００２０】  次に、図３に見える首押さえバネ６５の露出部分と先端部２６の運動範囲部分とを十分に覆う事ができる薄くて表面が滑らかな金属板類で覆い固定しても首押さえバネ６５の運動状況が問題ないと確認後に、凹ボタン２１のドーム６４側に合成樹脂材を静かに粘着させるか、前項００１７に準拠した作業で、総義歯からの凹ボタン２１の脱落防止を高め得るようにする。【００２１】  少なくても、１個の残存歯根部が臼歯でない場合には、凹ボタン２１の首押さえバネ６５が露出している部分でない凹ボタン２１の１部分の弓形部を、図４（ａ）（ｂ）のように、ドーム６４のある面側に垂直に曲げて、平面図が図４（ａ）、立面図が同図（ｂ）の様な立体形に改修する場合もあり、臨時に歯科医師が工作をすることもができる。【００２２】  以上の考案部分の実施の図面を、少なくても１個の歯根部が上顎部の奥歯に存在する場合として、凸ボタン９に凹ボタン２１を装着した特定１義歯を設置の総入れ歯２を、嵌合装着した状況は、図１（ｂ）に示してあるが、複雑な図面となるので、前者は仮想線で示し、総入れ歯の特定１義歯２７のあご側部１７に固定された対応する凹ボタン２１を、歯科���者が装着嵌合させた状況の、両者共に、残存歯牙や歯肉等、及び、義歯の実体合成樹脂の被覆部分は省略して斜線で示した。【００２３】  この場合に、請求項１の考案では、総入れ歯２を外した後のドーム内の食物カスの清掃が面倒である欠点が存在する。【００２４】  次に、請求項２の場合に付いての考案図を、図１（ｃ）に立面図とし、同図１（ｄ）に平面図として示したが、両者共に、向かって右側が当該歯科患者の奥側に当る様に描かれてあり、図の左側が同手前側に当るので、請求項に記載に準じると、図１（ｃ）での歯科患者の上顎部に総入れ歯２の特定１義歯２７の先端２４は図の下側と一致するので、上側も一致するが、図面の右側は奥側前方に当たり、図面の左側は患者側の手前である。【００２５】  図１（ｄ）では、図面の表面は上側で、図面の裏側は患者の下側地面側であり、図面の右手側が歯科患者の前方奥側、図面の天側が患者の左方側、図面の左手側が患者の手前側として、以下では記載する。【００２６】  この請求項２では、上顎部の歯肉１８の残存歯根部３には既に凸ボタン９が設置してあり、この球形類似凸部１０の首部分２２は「凸」字型を右倒しした右側の小穴は首穴４９で、常時この首穴４９の中に凸ボタン９の首部分２２が完全に入っている状況を示してあり、この時の球形類似凸部１０は、図１（ｄ）では手前側に、図１（ｃ）では下側にあり、凸ボタン９が結合かせ板３０から離れようとしても、結合かせ板３０の首穴４９の狭い両脇の結合かせ板３０の間隔よりも球形類似凸部１０の擬似球の大きさが大きすぎるので、首部分２２が首穴４９の上側に移動できず外箱２９が凸ボタン９から外れず特定１義歯２７は根元部２０に対して相対位置に変化がないので、結果的に、総入れ歯２は装着状況を保っていることができる。即ち、総入れ歯２の効果が発揮できる。【００２７】  この総入れ歯２は宿命と言うよりは、必然的に装着者が外して清掃すべきことは当然であるので、その場合に付いて言及しておくと、当考案の総入れ歯２を装着した元歯科患者が、図５の撮みピンセット５５の先端５６の両端を、装着義歯の撮み溝４７に差し入れ、撮み部４８を摘んで結合かせ板３０を外箱２９の出入  穴３８から引き出すと、首穴４９が首部分２２から外側に移動し、大穴５８が首部分２２の位置に来るから、この時には大穴５８の中を球形類似凸部１０が底穴８０と共に外箱２９の外に出すことができるので、総入れ歯２が装着を外される事になる。【００２８】  外箱９の底穴８０も「凸」字型の大穴５８も首穴４９も比較的に大きいので、外箱２９内の食物等の残渣が容易に水洗できるし、バネ８１の作用で、結合かせ板３０は洗浄時にも外れることなく安心していられるし、洗浄後の再着用が爽快である。【００２９】  再着用の場合には、結合かせ板３０をその位置から動かしたりした後ならば、底穴８０の特定１義歯２７の中央部に来るように正してから、上あごに設置の、凸ボタン９の球形類似凸部１０に、総入れ歯２の外箱２９の底の中央に底穴８０から結合かせ板３０の大穴５８が位置するように直してから、普通の上あごへの装着ををし、それから、結合かせ板３０を、外箱２９の底面に全部を押し入れてしまえば、総入れ歯の装着が完成する。【００３０】  結合かせ板３０が総入れ歯２から外してしまった場合には、結合かせ板３０を、出入穴３８から丁寧に入れ戻し、前項００２９と同様に操作する。
【考案の効果】
【００３１】  以上の設定構成による本考案の効果に付いて記す。【００３２】  一般に、総入れ歯着用時の咀嚼する時には、本考案の実施時にくらべて、同様大きさの１対の磁石を設置した総入れ歯では、簡単に横方向の力に弱く斜め方向の力にも弱くて総入り歯が装着位置から直ぐに外れてしまうが、本考案請求項１の場合では、凹ボタン２１の首押さえバネ６５の力が強いので、考案の効果が磁力利用の場合よりも勝っているし、請求項２の場合では、請求項１の場合よりも、総入れ歯の凸ボタンからの分離できない強さが勝っている。【００３３】  当該総入れ歯を装着する歯科患者がインプラント義歯を植え込む場合には、費用が３０万円以上かかる上に、老体と考えられる患者のあごにインプラント義歯用の穴を明けなくてはならず、患者の精神的負担が課題であり、装着時には、過去での普通の歯に義歯の針金を剥き出しにしたバネを取り付けるので、装着感に違和が消失されることはないが、本考案では、請求項１、２共に、バネの露出がないので、装着感が自然である。
【産業上の利用可能性】
【００３４】  本案の製作には、世界中の総入れ歯の利用者が、本案装着の総入れ歯を新規に利用しようとする歯科患者の推定数から考えても、バリ６２を最初から取り付けた凸ボタン９や凹ボタン２１、及び外箱２９と結合かせ板３０や撮みピン５５の新規産業が盛んになり、産業への利用性が高まることは、目に見えている程に高いといえる。
【図面の簡単な説明】
【００３５】
【図１】  （ａ）は、請求項１相当の本考案で、利用する凸ボタンにバリを付けて、少なくても１個の上顎部での歯根部が確実に残存している位置に、凸ボタンの円盤面と周囲の歯肉との両者を作為的に揃えた状況の単独での部分的な考案の設置状況を示す立面図。（ｂ）は、同前（ａ）の考案部に対応する凹ボタンを嵌合設置した立面図で、両者の区別を明瞭化し、２個の実体の分別を判りやすく描くために、前者凸ボタンの１連図を仮想線で描き、対応する凹ボタンを総入れ歯に装着させた部分を実線で描いた、一部省略の考案部の結合状況を明確化して示した立面図。（ｃ）は、請求項２相当の本考案で、利用する飛凸ボタンにバリを付けて、凸ボタンを残存歯根部に合成樹脂関係類で接着しても離脱を防止できる様にした凸ボタンを仮想線で描き、外箱の底から挿入するのに、底に半分以上の底穴と案内枠と取り出し口を設置し、取り出し口から「凸」字型穴を明けた結合かせ板を底に挿入しバネも取り付けた特定１義歯の装着と結合状況を示した立面図で、次の（ｄ）のＢ−Ｂの向きに見た断面図の立面図。（ｄ）は、同前（ｃ）のＡ−Ａ方向に見た断面図の平面図。
【図２】  凸ボタンの表面の平面図。
【図３】  請求項１で用いる場合がある、凹ボタンの裏面の平面図。
【図４】  （ａ）は、請求項１で用いる場合がある、凹ボタンの首押さえバネにかからないように月型部を裏面側に直角に折り曲げた平面図。（ｂ）は、同前（ａ）の凹ボタンの立面図。
【図５】  （ａ）は、請求項２で用いるピンの立面図。（ｂ）は、同前（ａ）の平面図。
【符号の説明】
【００３６】１  （歯科患者の少なくても残存する１個の）歯根部
２  総入れ歯
４  （口内の）表面部
５  （残存歯根部の）周囲の歯肉
６  口腔上皮縁部
９  （スナップの凸型部の略称）凸ボタン
１０  球形類似凸部
１１  （ドーナツ型）円盤部
１２  かがり糸通し穴
１４  （円盤部の）表面
１５  （円盤部の）裏面
１６  合成樹脂
１７  （総入れ歯の）あご側部
１８  歯肉相当部
１９  歯冠相当部
２０  （歯冠）根元部
２１  （スナップ凹型部の略称）凹ボタン
２２  （球形類似凸部１０の）首部分
２４  義歯先端
２５  糸巻き類似状部
２６  （針金類の）先端部
２７  特定１義歯
２９  外箱
３０  結合かせ板
３４  底面
３６  案内枠
３７  （外箱の）側面
３８  出入穴
４７  撮み溝
４８  撮み部
４９  首穴
５５  ピンセット
５６  先端
５８  大穴
５９  形成用穴
６０  外縁
６１  （凸ボタンの）折り返し縁
６１′  （凹ボタンの）折り返し縁
６２  バリ
６３  糸保護陥没面
６４  ドーム
６５  首押さえバネ
６６  （凹ボタンの）突出縁
６７  ドーム切り込み
６８  凹ボタン折り立て部
６９  ドーム内面
７４  バネ支持部
８０  底穴
８１  バネ
９１  隣接義歯接続線
【図１】
0003134175.tif 000003
【図２】
0003134175.tif 000004
【図３】
0003134175.tif 000005
【図４】
0003134175.tif 000006
【図５】
0003134175.tif 000007